(57)【要約】【課題】ユーザの所定の領域への入退をより容易に制限すること。【解決手段】自装置に割り当てられた識別子に対する端末装置からの着信に応じて入場の制限を解除する制御部を備える通信装置である。【選択図】図１
2015213265.tif 000002
【特許請求の範囲】
【請求項１】
自装置に割り当てられた識別子に対する端末装置からの着信に応じて入場の制限を解除する制御部を備える通信装置。
【請求項２】
前記制御部は、自装置に割り当てられた識別子に対する前記端末装置からの着信に応じて退場の制限を解除する請求項１に記載の通信装置。
【請求項３】
自装置に割り当てられた識別子に対する前記端末装置からの着信に応じて発信者番号を利用情報テーブルに記録する利用情報管理部をさらに備え、
前記制御部は、前記利用情報テーブルの記録に基づいて、入場の制限又は退場の制限のいずれを解除するか判定する、請求項２に記載の通信装置。
【請求項４】
前記制御部は、前記端末装置からの着信先の番号に基づいて、入場の制限又は退場の制限のいずれを解除するか判定する、請求項２に記載の通信装置。
【請求項５】
前記退場の制限が解除される際に、入場の制限が解除された時刻と退場の制限が解除される時刻とに基づいて料金を判定する利用料金判定部をさらに備える、請求項３又は４に記載の通信装置。
【請求項６】
自装置に割り当てられた識別子に対する端末装置からの着信に応じて入場の制限を解除する制御ステップを有する制限方法。
【請求項７】
自装置に割り当てられた識別子に対する端末装置からの着信に応じて入場の制限を解除する制御ステップをコンピュータに実行させるためのコンピュータプログラム。
【発明の詳細な説明】
【技術分野】
【０００１】
本発明は、所定の領域への入退を制限する技術に関する。
【背景技術】
【０００２】
従来、ユーザが所定の領域（例えば駐車場）へ入場することや、ユーザが所定の領域から退場することを制限する技術が提案されている。このような技術が適用される場所の具体例として、駐車場がある。駐車場では、入場する際や退場する際に駐車券が発行され、発行された駐車券を用いて管理が行われる。また、無線通信機（例えば車載器）と通信することによって駐車場を管理する技術も提案されている（例えば、特許文献１参照）。
【先行技術文献】
【特許文献】
【０００３】
【特許文献１】特開２００１−１６７２９７号公報
【発明の概要】
【発明が解決しようとする課題】
【０００４】
しかしながら、ユーザや駐車場の管理者にとって、駐車券を管理することは手間とコストを要していた。また、特許文献１に開示された技術では、ユーザは車載器を車両に設置する必要が有り、コストが高くなる要因となっていた。このような問題は駐車場に限られた問題ではなく、ユーザが所定の領域へ入場することや退場することを制限する必要が有るシステムに共通する問題であった。
【０００５】
上記事情に鑑み、本発明は、ユーザの所定の領域への入退をより容易に制限することを可能とする技術の提供を目的としている。
【課題を解決するための手段】
【０００６】
本発明の一態様は、自装置に割り当てられた識別子に対する端末装置からの着信に応じて入場の制限を解除する制御部を備える通信装置である。
【０００７】
本発明の一態様は、上記の通信装置であって、前記制御部は、自装置に割り当てられた識別子に対する前記端末装置からの着信に応じて退場の制限を解除する。
【０００８】
本発明の一態様は、上記の通信装置であって、自装置に割り当てられた識別子に対する前記端末装置からの着信に応じて発信者番号を利用情報テーブルに記録する利用情報管理部をさらに備え、前記制御部は、前記利用情報テーブルの記録に基づいて、入場の制限又は退場の制限のいずれを解除するか判定する。
【０００９】
本発明の一態様は、上記の通信装置であって、前記制御部は、前記端末装置からの着信先の番号に基づいて、入場の制限又は退場の制限のいずれを解除するか判定する。
【００１０】
本発明の一態様は、上記の通信装置であって、前記退場の制限が解除される際に、入場の制限が解除された時刻と退場の制限が解除される時刻とに基づいて料金を判定する利用料金判定部をさらに備える。
【００１１】
本発明の一態様は、自装置に割り当てられた識別子に対する端末装置からの着信に応じて入場の制限を解除する制御ステップを有する制限方法である。
本発明の一態様は、自装置に割り当てられた識別子に対する端末装置からの着信に応じて入場の制限を解除する制御ステップをコンピュータに実行させるためのコンピュータプログラムである。
【発明の効果】
【００１２】
本発明により、ユーザの所定の領域への入退をより容易に制限することが可能となる。
【図面の簡単な説明】
【００１３】
【図１】認証システム１００の第一実施形態のシステム構成を表す図である。
【図２】サービス電話番号の具体例を示す図である。
【図３】第一実施形態における第一通信装置２００の機能構成を表す概略ブロック図である。
【図４】ダイヤルタイプテーブルの具体例を示す図である。
【図５】認証情報テーブルの具体例を示す図である。
【図６】着信先テーブルの具体例を示す図である。
【図７】認証システム１００の第一実施形態を含むシステムの動作の流れを示すシーケンスチャートである。
【図８】認証システム１００の第二実施形態のシステム構成を表す図である。
【図９】認証システム１００の第二実施形態を含むシステムの動作の流れを示すシーケンスチャートである。
【図１０】認証システム１００の第一適用例を示す図である。
【図１１】第一適用例における処理の流れを示すシーケンスチャートである。
【図１２】認証システム１００の第二適用例を示す図である。
【図１３】第二適用例における処理の流れを示すシーケンスチャートである。
【図１４】認証システム１００の第三適用例を示す図である。
【図１５】サービス提供装置４００ｂの機能構成を表す概略ブロック図である。
【図１６】利用情報テーブルの具体例を示す図である。
【図１７】第三適用例における入場処理の流れを示すシーケンスチャートである。
【図１８】第三適用例における退場処理の流れを示すシーケンスチャートである。
【図１９】第三適用例における退場処理の流れを示すシーケンスチャートである。
【図２０】第三適用例として説明した入退制御システムの変形例のシステム構成図である。
【図２１】第三実施形態における入場処理の流れを示すシーケンスチャートである。
【図２２】第三実施形態における退場処理の流れを示すシーケンスチャートである。
【発明を実施するための形態】
【００１４】
［第一実施形態］
図１は、認証システム１００の第一実施形態のシステム構成を表す図である。
認証システム１００は、第一通信装置２００及び第二通信装置３００を備える。第一通信装置は、電話網を介して端末装置５００から呼を受け、第二通信装置３００に中継する。第二通信装置３００は不図示の通知部を備える。通知部は、第一通信装置２００によって中継された呼を着信し、サービス電話番号に含まれる付加番号を取得する。通知部は、取得された付加番号の一部又は全部を、ＩＰネットワークを介してサービス提供装置４００に通知する。なお、電話網は、固定電話が接続される電話網（公衆交換電話網）に限られず、携帯電話機等の移動体が接続される電話網（移動体通信網）、ＶｏＩＰ（Voice over IP）網、次世代電話網（ＮＧＮ網：Next Generation Network網）等の通信網であってもよい。
認証システム１００は、電話網を介して接続される端末装置５００を認証する。認証システム１００は、ＩＰネットワークを介して接続されるサービス提供装置４００に対し、認証結果に応じて情報を提供する。
【００１５】
サービス提供装置４００は、認証システム１００から受信する情報に応じて、端末装置５００のユーザに対してサービスを提供する。サービス提供装置４００によって提供されるサービスはどのようなサービスであってもよい。例えば、提供されるサービスは、予め設置されている充電器の利用を端末装置５００のユーザに対して許可するサービスであってもよい。例えば、提供されるサービスは、端末装置５００のユーザ宅に予め設置されている家電機器の遠隔操作を実現するサービスであってもよい。
【００１６】
端末装置５００は、電話網に接続する電話機である。端末装置５００は、無線通信によって電話網に接続しても良いし、有線通信によって電話網に接続してもよい。端末装置５００のユーザは、サービス提供装置４００によって提供されるサービスの種別を特定するために必要となる番号を含む電話番号（以下、「サービス電話番号」という。）を端末装置５００に入力する。そして、端末装置５００は、ユーザによって入力されたサービス電話番号に発信する。
【００１７】
図２は、サービス電話番号の具体例を示す図である。サービス電話番号は、例えば００ＸＹ特番の電話番号として構成されてもよい。サービス電話番号は、事業者識別番号及び付加番号を含む。事業者識別番号は、着信先の装置が接続されている電話網を運営する事業者を表す番号である。付加番号は、事業者識別番号に続く番号であり、サービス提供装置４００によって提供されるサービスの種別を特定するために必要となる番号である。付加番号は、区分番号及び指示コードを含む。区分番号は、サービス提供装置４００を特定する番号である。指示コードは、サービス提供装置４００によって提供されるサービスの内容を特定する番号である。なお、事業者識別番号、区分番号及び指示コードの桁数は、それぞれ任意の数字に設定されてもよい。
【００１８】
図３は、第一実施形態における第一通信装置２００の機能構成を表す概略ブロック図である。
第一通信装置２００は、電話交換機を用いて構成されても良いし、ワークステーションやパーソナルコンピュータなどの情報処理装置を用いて構成されてもよい。第一通信装置２００は、通信部２０１、制御部２０２、ダイヤルタイプ記憶部２０３、ダイヤルタイプ判定部２０４、認証情報記憶部２０５、認証部２０６、着信先記憶部２０７及び着信先判定部２０８を備える。
【００１９】
通信部２０１は、電話網を介して他の装置と通信する。
制御部２０２は、第一通信装置２００の各機能を制御する。
ダイヤルタイプ記憶部２０３は、ハードディスク記憶部装置や半導体記憶装置などの記憶装置を用いて構成される。ダイヤルタイプ記憶部２０３は、ダイヤルタイプテーブルを記憶する。図４は、ダイヤルタイプテーブルの具体例を示す図である。ダイヤルタイプテーブルは、複数のダイヤルタイプレコード９１を有する。ダイヤルタイプレコード９１は、区分番号、ダイヤルタイプ、認証処理及び認証情報テーブルＩＤの各値を有する。区分番号は、端末装置５００の発信先のサービス電話番号に含まれる区分番号を表す。ダイヤルタイプは、端末装置５００の発信先のサービス電話番号によって特定されるサービス（以下、「提供サービス」という。）の識別情報を表す。認証処理は、提供サービスが認証処理を必要とするか否かを表す。認証情報テーブルＩＤは、提供サービスに関して認証情報記憶部２０５に登録されている認証情報テーブルの識別情報を表す。
【００２０】
ダイヤルタイプ判定部２０４は、ダイヤルタイプ記憶部２０３に記憶されるダイヤルタイプテーブルを参照することによって、端末装置５００に提供されるサービスのダイヤルタイプを判定する。また、ダイヤルタイプ判定部２０４は、端末装置５００に提供されるサービスが、発信者番号に関する認証を必要とするか否か判定する。また、ダイヤルタイプ判定部２０４は、端末装置５００に提供されるサービスに係る認証情報テーブルＩＤを判定する。ダイヤルタイプ判定部２０４は、判定結果を制御部２０２に通知する。
【００２１】
認証情報記憶部２０５は、ハードディスク記憶部装置や半導体記憶装置などの記憶装置を用いて構成される。認証情報記憶部２０５は、提供サービス毎に認証情報テーブルを記憶する。図５は、認証情報テーブルの具体例を示す図である。認証情報テーブルは、複数の認証情報レコード９２を有する。認証情報レコード９２は、発信者番号及びユーザＩＤの各値を有する。発信者番号は、端末装置５００の電話番号を表す。ユーザＩＤは、端末装置５００のユーザに予め割り当てられているユーザＩＤを示す。
【００２２】
認証部２０６は、認証情報記憶部２０５に記憶される複数の認証情報テーブルのうち、ダイヤルタイプ判定部２０４によって判定された認証情報テーブルＩＤの認証情報テーブルを参照することによって、端末装置５００を認証する。認証部２０６は、端末装置５００の発信者番号に基づいて認証処理を行う。
【００２３】
例えば、認証部２０６は以下のような手順で認証処理を行う。まず、認証部２０６は、サービス電話番号に対して発信を行った端末装置５００の電話番号（発信者番号）を取得する。次に、認証部２０６は、取得された発信者番号が、認証情報テーブルに登録されているか否か判定する。認証情報テーブルに発信者番号が登録されている場合、認証部２０６は、発信元の端末装置５００を正当な端末装置であると判定する。一方、認証情報テーブルに発信者番号が登録されていない場合、認証部２０６は、発信元の端末装置５００を正当な端末装置ではないと判定する。
【００２４】
着信先記憶部２０７は、ハードディスク記憶部装置や半導体記憶装置などの記憶装置を用いて構成される。着信先記憶部２０７は、着信先テーブルを記憶する。図６は、着信先テーブルの具体例を示す図である。着信先テーブルは、複数の着信先レコード９３を有する。着信先レコード９３は、区分番号及び着信先番号の各値を有する。区分番号は、端末装置５００の発信先のサービス電話番号に含まれる区分番号を表す。着信先番号は、端末装置５００との間で呼を接続する装置の電話番号を示す。着信先レコード９３には、各区分番号に応じたサービスを提供するサービス提供装置７００に割り当てられた電話番号が着信先番号として登録される。
【００２５】
着信先判定部２０８は、着信先記憶部２０７に記憶される着信先テーブルを参照することによって、端末装置５００との間で呼を接続する装置（以下、「着信先装置」という。）の電話番号を判定する。例えば、着信先判定部２０８は以下のような手順で着信先の電話番号を判定する。まず、着信先判定部２０８は、サービス電話番号から区分番号を取得する。次に、着信先判定部２０８は、取得された区分番号を含む着信先レコード９３を着信先テーブルから検索する。そして、着信先判定部２０８は、検索された着信先レコード９３の着信先番号を、着信先の電話番号として取得する。
【００２６】
図７は、認証システム１００の第一実施形態を含むシステムの動作の流れを示すシーケンスチャートである。まず、端末装置５００に対し、ユーザが発信番号を入力する（ステップＳ１０１）。入力される発信番号は、ユーザが所望するサービスに関するサービス電話番号である。端末装置５００は、入力された発信番号に対して発信する（ステップＳ１０２）。発信された呼は、事業者識別番号に基づいて電話網を経由して第一通信装置２００に到達する。
【００２７】
第一通信装置２００の制御部２０２は、呼を受けると、発信番号から付加番号を取得する（ステップＳ１０３）。次に、制御部２０２は、取得された付加番号に基づいて、ダイヤルタイプの判定をダイヤルタイプ判定部２０４に指示する。ダイヤルタイプ判定部２０４は、付加番号に基づいてダイヤルタイプを判定する（ステップＳ１０４）。ダイヤルタイプ判定部２０４は、判定結果に基づいて、認証処理の要否を制御部２０２に通知する。
【００２８】
制御部２０２は、認証処理が必要であると通知された場合、発信者番号の認証処理を認証部２０６に指示する。認証部２０６は、認証情報テーブルＩＤ及び発信者番号に基づいて認証処理を行う（ステップＳ１０５）。そして、認証部２０６は、認証結果を制御部２０２に通知する。
【００２９】
制御部２０２は、発信元の端末装置５００が正当な端末装置である場合、着信先の電話番号の判定を着信先判定部２０８に指示する。一方、発信元の端末装置５００が正当な端末装置ではない場合、制御部２０２は、端末装置５００からの呼を廃棄する。着信先判定部２０８は、制御部２０２によって取得された付加番号に基づいて、着信先の電話番号を判定する（ステップＳ１０６）。着信先判定部２０８は、判定結果を制御部２０２に通知する。
【００３０】
制御部２０２は、着信先判定部２０８によって判定された着信先の電話番号に対して呼を中継する。第一実施形態では、呼の中継先は第二通信装置３００である。第二通信装置３００は、呼を受けると着信応答する（ステップＳ１０７）。第一通信装置２００の制御部２０２は、第二通信装置３００から着信応答を受けると、第二通信装置３００に対してサービス情報を送信する（ステップＳ１０８）。サービス情報は、付加番号と発信者番号とを含む。
【００３１】
第二通信装置３００は、サービス情報を受信すると（ステップＳ１０９）、受信されたサービス情報に基づいてサービス提供装置４００のアドレスを判定する。第二通信装置３００は、判定されたアドレスに基づいて、サービス提供装置４００に対してサービス情報を送信する（ステップＳ１１０）。
【００３２】
サービス提供装置４００は、第二通信装置３００からサービス情報を受信すると（ステップＳ１１１）、受信されたサービス情報に基づいてサービス内容を判定する。そして、サービス提供装置４００は、判定結果に応じてサービスを実行する（ステップＳ１１２）。
【００３３】
このように構成された認証システム１００では、認証システム１００によって発信者番号に基づいて認証が行われる。そのため、サービス提供装置４００によってサービスを提供する事業者（以下、「サービス事業者」という。）は、認証処理を行うための設備を独自に設ける必要が無い。したがって、サービス事業者は、より低いコストで認証処理を行うことが可能となる。なお、本実施形態の認証システム１００は、サービス事業者が独自に認証処理を行うための設備を設けることを排除するものではない。
【００３４】
また、認証システム１００は、電話網に接続された装置によって発信者番号の認証処理が行われる。すなわち、サービス事業者が特に意識することなく発信者番号の認証処理を実現することが可能となる。そのため、発信者番号に基づいた認証処理をより汎用的に実施することが可能となる。
また、認証システム１００では、ユーザは電話機を用いて電話をかけるという動作によって認証を受けることが可能となる。電話をかけるという動作は、既に老若男女に浸透している動作である。そのため、ＩＴリテラシーが低いユーザ（例えばお年寄りなど）にとっても容易に認証を受けることが可能となる。すなわち、電話をかけるという動作よりも難しい動作（例えば、メールの送信、ＷＥＢブラウザの操作など）をすることなく、認証を受けることが可能となる。
【００３５】
また、ユーザに提示される電話番号（サービス電話番号）と、実際にサービス提供装置４００に割り当てられている電話番号（着信先番号）とが異なる。そのため、サービス提供装置４００の電話番号を秘匿することが可能となる。
また、ユーザがサービスの提供を受けるために入力する必要のある番号は、最初の発信時に全てサービス電話番号として電話網を介して送信される。そのため、ユーザは、呼が接続されてから音声案内などにしたがって番号を入力するという作業を省略することもできる。言い換えると、ユーザは発信のタイミングで全ての番号を入力してしまうことが可能である。したがって、ユーザはより簡易な操作でサービスを受けることが可能となる。
【００３６】
＜変形例＞
認証システム１００は、端末装置５００から呼を受けた際に発信者番号が非通知である場合、発信者番号を通知することを促す音声を端末装置５００に送信してもよい。
認証システム１００において用いられるサービス電話番号の付加番号には、必ずしもサービスを特定するための番号が含まれていなくともよい。この場合、第二通信装置３００が備える自動音声機能によって、ユーザが音声案内にしたがって番号を入力する。第二通信装置３００は、入力された番号（付加番号）をサービス提供装置４００に通知する。
【００３７】
［第二実施形態］
図８は、認証システム１００の第二実施形態のシステム構成を表す図である。認証システム１００の第二実施形態は、第二通信装置３００を含まない点で第一実施形態と異なる。以下、認証システム１００の第二実施形態について説明する。
【００３８】
第二実施形態における認証システム１００に接続されるサービス提供装置４００ａは、第一実施形態における第二通信装置３００の機能を備える。そのため、サービス提供装置４００ａは、ＩＰネットワークではなく、電話網に接続される。
【００３９】
図９は、認証システム１００の第二実施形態を含むシステムの動作の流れを示すシーケンスチャートである。図９におけるステップＳ２０１〜Ｓ２０６までの処理の流れは、図７におけるステップＳ１０１〜Ｓ１０６までの処理の流れと同じであるため説明を省く。
【００４０】
制御部２０２は、着信先判定部２０８によって判定された着信先の電話番号に対して呼を中継する。第二実施形態では、呼の中継先はサービス提供装置４００ａである。サービス提供装置４００ａは、呼を受けると着信応答する（ステップＳ２０７）。第一通信装置２００の制御部２０２は、サービス提供装置４００ａから着信応答を受けると、サービス提供装置４００ａに対してサービス情報を送信する（ステップＳ２０８）。サービス情報は、付加番号と発信者番号とを含む。
【００４１】
サービス提供装置４００ａは、サービス情報を受信すると（ステップＳ２０９）、受信されたサービス情報に基づいてサービス内容を判定する。そして、サービス提供装置４００ａは、判定結果に応じてサービスを実行する（ステップＳ２１０）。
【００４２】
このように構成された第二実施形態では、サービス事業者が第二通信装置３００に相当する機能を独自に設置する必要がある。しかしながら、第一実施形態と同様に、サービス事業者は、認証処理を行うための設備を独自に設ける必要が無い。したがって、サービス事業者は、より低いコストで認証処理を行うことが可能となる。
【００４３】
［第一適用例］
次に、認証システム１００の適用例について説明する。図１０は、認証システム１００の第一適用例を示す図である。第一適用例では、認証システム１００は充電器提供システムに適用されている。なお、第一適用例において用いられる認証システム１００は、第二実施形態の認証システム１００である。ただし、第一実施形態の認証システム１００が用いられてもよい。
【００４４】
充電器提供システムのサービス提供装置４００は、認証システム１００及び電話網を介して、端末装置５００のユーザに対し充電器６００を用いた充電のサービス（以下、「充電サービス」という。）を提供する。また、サービス提供装置４００は、ＩＰネットワークを介して、端末装置５００ａのユーザに対し同様の充電サービスを提供する。サービス提供装置４００は、ＩＰネットワークを介して通信する端末装置５００ａに対しては、発信者番号とは異なる情報に基づいて認証処理を行う。例えば、サービス提供装置４００は、ＩＰネットワークを介してユーザＩＤ及びパスワードを受信し、ユーザＩＤ及びパスワードに基づいて認証処理を行ってもよい。
【００４５】
充電器６００は、所定の種類の装置に対して充電を行う装置である。所定の種類の装置は、例えば電気自動車、携帯電話機、充電バッテリーなどの装置である。充電器６００は、ＩＰネットワークを介してサービス提供装置４００に接続されている。充電器６００は、サービス提供装置４００による制御に応じて、充電を行う。
【００４６】
図１１は、第一適用例における処理の流れを示すシーケンスチャートである。
まず、ユーザは、利用を希望する充電器６００の装置ＩＤを取得する。ユーザは、充電器６００の装置ＩＤを含むサービス電話番号を決定する。装置ＩＤは、例えば区分番号又は指示コードとして電話番号に含まれる。ユーザは、決定したサービス電話番号を端末装置５００に入力する（ステップＳ３０１）。端末装置５００は、入力された発信番号に対して発信する（ステップＳ３０２）。発信された呼は、事業者識別番号に基づいて電話網を経由して第一通信装置２００に到達する。
【００４７】
第一通信装置２００の制御部２０２は、呼を受けると、発信番号から付加番号を取得する（ステップＳ３０３）。次に、制御部２０２は、取得された付加番号に基づいて、ダイヤルタイプの判定をダイヤルタイプ判定部２０４に指示する。ダイヤルタイプ判定部２０４は、付加番号に基づいてダイヤルタイプを判定する（ステップＳ３０４）。ダイヤルタイプ判定部２０４は、判定結果に基づいて、認証処理の要否を制御部２０２に通知する。
【００４８】
制御部２０２は、認証処理が必要であると通知された場合、発信者番号の認証処理を認証部２０６に指示する。認証部２０６は、発信者番号に基づいて認証処理を行う（ステップＳ３０５）。そして、認証部２０６は、認証結果を制御部２０２に通知する。
【００４９】
制御部２０２は、発信元の端末装置５００が正当な端末装置である場合、着信先の電話番号の判定を着信先判定部２０８に指示する。一方、発信元の端末装置５００が正当な端末装置ではない場合、制御部２０２は、端末装置５００からの呼を廃棄する。着信先判定部２０８は、制御部２０２によって取得された付加番号に基づいて、着信先の電話番号を判定する（ステップＳ３０６）。着信先判定部２０８は、判定結果を制御部２０２に通知する。
【００５０】
制御部２０２は、着信先判定部２０８によって判定された着信先の電話番号に対して呼を中継する。サービス提供装置４００は、呼を受けると着信応答する（ステップＳ３０７）。第一通信装置２００の制御部２０２は、サービス提供装置４００から着信応答を受けると、サービス提供装置４００に対してサービス情報を送信する（ステップＳ３０８）。
【００５１】
サービス提供装置４００は、サービス情報を受信すると（ステップＳ３０９）、受信されたサービス情報に含まれる装置ＩＤに基づいて、端末装置５００のユーザが利用を要求している充電器６００を判定する（ステップＳ３１０）。サービス提供装置４００は、判定された充電器６００に対し、充電開始指示を送信する（ステップＳ３１１）。
【００５２】
充電器６００は、サービス提供装置４００から充電開始指示を受信すると、充電を開始する（ステップＳ３１２）。この場合、例えば充電器６００は、充電を行うことが可能になったことをユーザに通知し、利用方法などをユーザに指示してもよい。サービス提供装置４００は、サービス提供の履歴を残すために、サービス情報を記録する（ステップＳ３１３）。例えば、サービス提供装置４００は、サービス情報に含まれる装置ＩＤ、発信者番号、充電が開始された日時を記録してもよい。
【００５３】
このように構成された第一適用例では、ユーザは端末装置によって所定の電話番号に発信することによって、充電器を利用することが可能となる。また、充電器による充電を提供するサービス事業者は、発信者番号に基づく認証装置を独自に備えることなく、認証を実現させることが可能となる。
【００５４】
［第二適用例］
次に、認証システム１００の第二適用例について説明する。図１２は、認証システム１００の第二適用例を示す図である。第二適用例では、認証システム１００は家電遠隔操作システムに適用されている。なお、第二適用例において用いられる認証システム１００は、第二実施形態の認証システム１００である。ただし、第一実施形態の認証システム１００が用いられてもよい。
【００５５】
家電遠隔操作システムのサービス提供装置４００は、端末装置５００のユーザに対して、宅内装置７０１を介して遠隔地から自身の住宅７００に備えられた家電機器を操作することを可能とするサービス（以下、「家電操作サービス」という。）を提供する。また、サービス提供装置４００は、ＩＰネットワークを介して、端末装置５００ａのユーザに対し同様の家電操作サービスを提供する。サービス提供装置４００は、ＩＰネットワークを介して通信する端末装置５００ａに対しては、発信者番号とは異なる情報に基づいて認証処理を行う。例えば、サービス提供装置４００は、ＩＰネットワークを介してユーザＩＤ及びパスワードを受信し、ユーザＩＤ及びパスワードに基づいて認証処理を行ってもよい。
【００５６】
宅内装置７０１は、ＩＰネットワークを介して受信した信号に応じて、住宅７００内に設置された家電機器７０２〜７０４に対し制御信号を送信する。家電機器７０２〜７０４は、制御信号を受信すると、受信された制御信号に応じて動作する。宅内装置７０１は、例えばゲートウェイ装置を用いて構成されてもよい。
【００５７】
なお、制御信号の具体例には以下のような信号がある。空調機７０２の電源を入れる信号。空調機７０２の電源を切る信号。空調機７０２の運転種別（冷房、暖房、送風、除湿など）を変更する信号。空調機７０２の温度設定を変更する信号。冷蔵庫７０３内の映像を端末装置５００宛に送信させる信号。テレビ受像機７０４の電源を入れる信号。テレビ受像機７０４の電源を切る信号。
【００５８】
図１３は、第二適用例における処理の流れを示すシーケンスチャートである。
まず、ユーザは、操作対象となる家電機器を操作するために予め付与されている区分番号を取得する。区分番号は、例えば、家電機器の製造者を表す識別番号であってもよい。区分番号は、例えば家電機器の取扱説明書やホームページ等に表示されていてもよい。また、ユーザは、操作対象となる家電機器の装置の種別を示す番号（以下、「装置番号」という。）と、家電機器に対する操作内容を表す番号（以下、「操作番号」という。）とを決定する。ユーザは、決定された各番号を含むサービス電話番号を決定する。決定された各番号は、付加番号として電話番号に含まれる。ユーザは、決定したサービス電話番号を端末装置５００に入力する（ステップＳ４０１）。端末装置５００は、入力された発信番号に対して発信する（ステップＳ４０２）。発信された呼は、事業者識別番号に基づいて電話網を経由して第一通信装置２００に到達する。
【００５９】
第一通信装置２００の制御部２０２は、呼を受けると、発信番号から付加番号を取得する（ステップＳ４０３）。次に、制御部２０２は、取得された付加番号に基づいて、ダイヤルタイプの判定をダイヤルタイプ判定部２０４に指示する。ダイヤルタイプ判定部２０４は、付加番号に基づいてダイヤルタイプを判定する（ステップＳ４０４）。ダイヤルタイプ判定部２０４は、判定結果に基づいて、認証処理の要否を制御部２０２に通知する。
【００６０】
制御部２０２は、認証処理が必要であると通知された場合、発信者番号の認証処理を認証部２０６に指示する。認証部２０６は、発信者番号に基づいて認証処理を行う（ステップＳ４０５）。そして、認証部２０６は、認証結果を制御部２０２に通知する。
【００６１】
制御部２０２は、発信元の端末装置５００が正当な端末装置である場合、着信先の電話番号の判定を着信先判定部２０８に指示する。一方、発信元の端末装置５００が正当な端末装置ではない場合、制御部２０２は、端末装置５００からの呼を廃棄する。着信先判定部２０８は、制御部２０２によって取得された付加番号に基づいて、着信先の電話番号を判定する（ステップＳ４０６）。着信先判定部２０８は、判定結果を制御部２０２に通知する。
【００６２】
制御部２０２は、着信先判定部２０８によって判定された着信先の電話番号に対して呼を中継する。サービス提供装置４００は、呼を受けると着信応答する（ステップＳ４０７）。第一通信装置２００の制御部２０２は、サービス提供装置４００から着信応答を受けると、サービス提供装置４００に対してサービス情報を送信する（ステップＳ４０８）。
【００６３】
サービス提供装置４００は、サービス情報を受信すると（ステップＳ４０９）、宅内装置テーブルを参照する。宅内装置テーブルは、サービス提供装置４００が備える記憶装置に予め記憶されている。宅内装置テーブルには、各ユーザのユーザＩＤ又は発信者番号と、宅内装置７０１のアドレスと、が対応付けて登録されている。サービス提供装置４００は、受信されたサービス情報に含まれる発信者番号に基づいて、端末装置５００のユーザの住宅７００に設置されている宅内装置７０１のアドレスを判定する（ステップＳ４１０）。サービス提供装置４００は、判定された宅内装置７０１に対し、サービス情報に含まれる装置番号及び操作番号（操作情報）を送信する（ステップＳ４１１）。
【００６４】
宅内装置７０１は、サービス提供装置４００から装置番号及び操作番号を受信すると、装置番号に基づいて操作対象となる家電機器を特定する。また、宅内装置７０１は、受信された操作番号に基づいて操作の内容を特定する。そして、宅内装置７０１は、装置番号及び操作番号に応じた操作信号を生成し、操作対象となる家電機器に対して操作信号を送信する（ステップＳ４１２）。その後、操作対象となった家電機器は、操作信号に応じて動作する。
【００６５】
このように構成された第二適用例では、ユーザは端末装置によって所定の電話番号に発信することによって、住宅７００内の家電機器を遠隔操作することが可能となる。また、家電機器の遠隔操作を提供するサービス事業者は、発信者番号に基づく認証装置を独自に備えることなく、認証を実現させることが可能となる。
【００６６】
［第三適用例］
次に、認証システム１００の第三適用例について説明する。図１４は、認証システム１００の第三適用例を示す図である。第三適用例では、認証システム１００は入退制御システムに適用されている。なお、第三適用例において用いられる認証システム１００は、第一実施形態の認証システム１００である。ただし、第二実施形態の認証システム１００が用いられてもよい。
【００６７】
入退制御システムのサービス提供装置４００ｂは、認証システム１００、電話網及びＩＰネットワークを介して、端末装置５００のユーザに対し入退制御装置８００を用いたサービスを提供する。このようなサービスは、ユーザが所定の領域に入ることと出ることとを制限することによって実現されるサービスである。このようなサービスの具体例として、駐車場提供サービスがある。駐車場提供サービスは、ユーザの車が駐車場に入ることと、出ることとを制限することによって、ユーザに対し駐車スペースを提供するサービスである。
【００６８】
入退制御装置８００は、サービス提供装置４００ｂによる制御に応じて、ユーザが所定の領域に入ることや出ることを制限する。入退制御システムにおいて提供されるサービスが駐車場提供サービスである場合、入退制御装置８００は、駐車場の入口と出口とに設けられるゲート装置である。
【００６９】
図１５は、サービス提供装置４００ｂの機能構成を表す概略ブロック図である。
サービス提供装置４００ｂは、通信可能な情報処理装置を用いて構成される。サービス提供装置４００ｂは、通信部４０１、制御部４０２、利用情報記憶部４０３、利用情報管理部４０４及び利用料金判定部４０５を備える。
【００７０】
通信部４０１は、ＩＰネットワークを介して他の装置と通信する。
制御部４０２は、サービス提供装置４００ｂの各機能を制御する。
利用情報記憶部４０３は、ハードディスク記憶装置や半導体記憶装置などの記憶装置を用いて構成される。利用情報記憶部４０３は、利用情報テーブルを記憶する。図１６は、利用情報テーブルの具体例を示す図である。利用情報テーブルは、複数の利用情報レコード９４を有する。利用情報レコード９４は、発信者番号、入場日時及び退場日時の各値を有する。発信者番号は、端末装置５００の電話番号を表す。入場日時は、ユーザに対して入場の制限が解除された日時を表す。退場日時は、ユーザに対して退場の制限が解除された日時を表す。
【００７１】
利用情報管理部４０４は、認証システム１００から送信される付加番号及び発信者番号に基づいて、利用情報記憶部４０３の利用情報テーブルを更新する。付加番号が入場を示す場合、利用情報管理部４０４は、新たに利用情報レコード９４を生成し、発信者番号及び入場日時の値を登録する。付加番号が退場を示す場合、利用情報管理部４０４は、受信された発信者番号を有する利用情報レコード９４を検索する。そして、利用情報管理部４０４は、検索された利用情報レコード９４に退場日時の値を登録する。
【００７２】
利用料金判定部４０５は、認証システム１００から送信される付加番号が退場を示す場合、利用情報テーブルに基づいて利用料金を判定する。例えば、利用料金判定部４０５は、受信された発信者番号を有する利用情報レコード９４を検索する。利用料金判定部４０５は、検索された利用情報レコード９４の入場日時及び退場日時に基づいて利用時間を算出する。そして、利用料金判定部４０５は、利用時間に応じた利用料金を判定する。なお、利用料金判定部４０５は、受信された発信者番号を有する利用情報レコード９４が検索されない場合、入退制御装置８００にエラー出力を指示してもよい。
【００７３】
図１７は、第三適用例における入場処理の流れを示すシーケンスチャートである。入場処理は、ユーザが所定の領域に入る際に行われる処理である。
入場処理が行われるまでは、入退制御装置８００は、入場を制限する状態に制御される。この制御は、例えばサービス提供装置４００ｂによって行われる。
【００７４】
入場を希望するユーザは、入場を制限している入退制御装置８００の装置ＩＤを取得する。例えば、入場を制限する入退制御装置８００と退場を制限する入退制御装置８００とが異なる装置として構成されている場合、各入退制御装置８００に一意の装置ＩＤが付与される。例えば、入場を制限する入退制御装置８００と退場を制限する入退制御装置８００とが一台の装置として構成されている場合、入場を制限する部分と退場を制限する部分とに異なる装置ＩＤが付与される。装置ＩＤは、例えば入退制御装置８００の表面に表示されていてもよい。そのため、サービス提供装置４００ｂは装置ＩＤを参照することによって入場が要求されているのか退場が要求されているのか判定することが可能である。
【００７５】
ユーザは、取得した装置ＩＤを含むサービス電話番号を決定する。装置ＩＤは、例えば区分番号又は指示コードとして電話番号に含まれる。ユーザは、決定したサービス電話番号を端末装置５００に入力する（ステップＳ５０１）。端末装置５００は、入力された発信番号に対して発信する（ステップＳ５０２）。発信された呼は、事業者識別番号に基づいて電話網を経由して認証システム１００の第一通信装置２００に到達する。
【００７６】
第一通信装置２００の制御部２０２は、呼を受けると、発信番号から付加番号を取得する（ステップＳ５０３）。次に、制御部２０２は、取得された付加番号に基づいて、ダイヤルタイプの判定をダイヤルタイプ判定部２０４に指示する。ダイヤルタイプ判定部２０４は、付加番号に基づいてダイヤルタイプを判定する（ステップＳ５０４）。ダイヤルタイプ判定部２０４は、判定結果に基づいて、認証処理の要否を制御部２０２に通知する。第三適用例の場合、ダイヤルタイプ判定部２０４は、認証処理が不要であると通知する。
【００７７】
制御部２０２は、認証処理が不要であると通知された場合、発信者番号の認証処理を認証部２０６に指示しない。そのため、認証部２０６は発信者番号に基づいた認証処理を行わない。
【００７８】
制御部２０２は、着信先の電話番号の判定を着信先判定部２０８に指示する。着信先判定部２０８は、制御部２０２によって取得された付加番号に基づいて、着信先の電話番号を判定する（ステップＳ５０５）。着信先判定部２０８は、判定結果を制御部２０２に通知する。
【００７９】
制御部２０２は、着信先判定部２０８によって判定された着信先の電話番号に対して呼を中継する。サービス提供装置４００ｂは、呼を受けると着信応答する（ステップＳ５０６）。第一通信装置２００の制御部２０２は、サービス提供装置４００ｂから着信応答を受けると、サービス提供装置４００ｂに対してサービス情報を送信する（ステップＳ５０７）。
【００８０】
サービス提供装置４００ｂは、サービス情報を受信すると（ステップＳ５０８）、呼を切断する（ステップＳ５０９）。次に、サービス提供装置４００ｂは、受信されたサービス情報に含まれる装置ＩＤに基づいて、制御が求められている入退制御装置８００が入場を制限しているのか退場を制限しているのか判定する。サービス提供装置４００ｂは、判定結果に応じて利用情報を更新する（ステップＳ５１０）。そして、サービス提供装置４００ｂは、判定された入退制御装置８００に対し、入場の制限を解除することを表す指示（入場制限解除指示）を送信する（ステップＳ５１１）。
【００８１】
入退制御装置８００は、サービス提供装置４００ｂから入退制限解除指示を受信すると、ユーザの入場の制限を解除する（ステップＳ５１２）。例えば、入退制御装置８００が駐車場のゲート装置である場合、入退制御装置８００はユーザの車両が入口を通過できるようにゲートを開放する。
【００８２】
図１８及び図１９は、第三適用例における退場処理の流れを示すシーケンスチャートである。退場処理は、ユーザが所定の領域から出る際に行われる処理である。
退場処理が行われるまでは、入退制御装置８００は、退場を制限する状態に制御される。この制御は、例えばサービス提供装置４００ｂによって行われる。
【００８３】
退場を希望するユーザは、退場を制限している入退制御装置８００の装置ＩＤを取得する。ユーザは、取得した装置ＩＤを含むサービス電話番号を決定する。装置ＩＤは、例えば区分番号又は指示コードとして電話番号に含まれる。ユーザは、決定したサービス電話番号を端末装置５００に入力する（ステップＳ６０１）。端末装置５００は、入力された発信番号に対して発信する（ステップＳ６０２）。発信された呼は、事業者識別番号に基づいて電話網を経由して認証システム１００の第一通信装置２００に到達する。
【００８４】
第一通信装置２００の制御部２０２は、呼を受けると、発信番号から付加番号を取得する（ステップＳ６０３）。次に、制御部２０２は、取得された付加番号に基づいて、ダイヤルタイプの判定をダイヤルタイプ判定部２０４に指示する。ダイヤルタイプ判定部２０４は、付加番号に基づいてダイヤルタイプを判定する（ステップＳ６０４）。ダイヤルタイプ判定部２０４は、判定結果に基づいて、認証処理の要否を制御部２０２に通知する。第三適用例の場合、ダイヤルタイプ判定部２０４は、認証処理が不要であると通知する。
【００８５】
制御部２０２は、認証処理が不要であると通知された場合、発信者番号の認証処理を認証部２０６に指示しない。そのため、認証部２０６は発信者番号に基づいた認証処理を行わない。
【００８６】
制御部２０２は、着信先の電話番号の判定を着信先判定部２０８に指示する。着信先判定部２０８は、制御部２０２によって取得された付加番号に基づいて、着信先の電話番号を判定する（ステップＳ６０５）。着信先判定部２０８は、判定結果を制御部２０２に通知する。
【００８７】
制御部２０２は、着信先判定部２０８によって判定された着信先の電話番号に対して呼を中継する。サービス提供装置４００ｂは、呼を受けると着信応答する（ステップＳ６０６）。第一通信装置２００の制御部２０２は、サービス提供装置４００ｂから着信応答を受けると、サービス提供装置４００ｂに対してサービス情報を送信する（ステップＳ６０７）。
【００８８】
サービス提供装置４００ｂは、サービス情報を受信すると（ステップＳ６０８）、呼を切断する（ステップＳ６０９）。次に、サービス提供装置４００ｂは、受信されたサービス情報に含まれる装置ＩＤに基づいて、制御が求められている入退制御装置８００が入場を制限しているのか退場を制限しているのか判定する。サービス提供装置４００ｂは、判定結果に応じて利用情報を更新する。
【００８９】
制御が求められている入退制御装置８００が退場を制御しているという判定結果に応じて、制御部４０２は、利用料金判定部４０５に対し利用料金の判定を指示する。利用料金判定部４０５は、この指示に応じて利用料金を判定する（ステップＳ６１０）。利用料金判定部４０５は、判定された利用料金を制御部４０２に通知する。制御部４０２は、入退制御装置８００に対し、利用料金を表示することを指示する（ステップＳ６１１）。この指示に応じて、入退制御装置８００は利用料金を表示することによってユーザに利用料金を通知する（ステップＳ６１２）。
【００９０】
ユーザは、入退制御装置８００に表示された利用料金を確認し、利用料金に応じた金銭を入退制御装置８００に投入する。入退制御装置８００は、ユーザによる支払いが完了すると、支払いが完了したことをサービス提供装置４００ｂに通知する（ステップＳ６１３）。
【００９１】
サービス提供装置４００ｂは、支払い完了の通知を受けると、退場の制限を解除することを入退制御装置８００に指示する（ステップＳ６１４）。そして、サービス提供装置４００ｂは、利用情報を更新する（ステップＳ６１５）。入退制御装置８００は、退場の制限を解除する指示を受けると、指示に応じて退場の制限を解除する（ステップＳ６１６）。例えば、入退制御装置８００が駐車場のゲート装置である場合、入退制御装置８００はユーザの車両が出口を通過できるようにゲートを開放する。
【００９２】
このように構成された第三適用例では、ユーザは端末装置によって所定の電話番号に発信することによって、施設への入場や退場を行う事が可能となる。
本システムが駐車場に適用された場合は、ユーザは端末装置によって所定の電話番号に発信することによって駐車場を利用することが可能となる。また、ユーザは端末装置によって所定の電話番号に電話することによって、駐車場を退場することが可能となる。そのため、ユーザは駐車券を管理する必要が無くなり、駐車券を紛失するおそれがなくなる。また、駐車場の事業者にとっても、駐車券の発行コストや管理コストを低減させることが可能となる。
【００９３】
また、第三適用例では、発信者番号に基づく認証処理が行われない。そのため、事前の登録などを行うことなく誰でも入退制御装置８００に係るサービス（例えば駐車場の利用）を受けることが可能となる。
【００９４】
＜変形例＞
サービス提供装置４００ｂは、予め会員登録しているユーザの発信者番号を会員情報として記憶してもよい。この場合、利用料金判定部４０５は、会員登録されているユーザに対して利用料金の割引を行ってもよい。
【００９５】
入場と退場とにおいて同一の装置ＩＤが用いられてもよい。この場合、サービス提供装置４００ｂの利用情報管理部４０４は以下のようにして入場処理と退場処理とのどちらが要求されているのか判定する。サービス提供装置４００ｂは、受信された発信者番号を有し且つ入場日時及び退場日時を有していない利用情報レコード９４を検索する。このような利用情報レコード９４が検索されない場合、利用情報管理部４０４は、入場制限の解除が要求されていると判定する。また、サービス提供装置４００ｂは、受信された発信者番号及び入場日時を有し且つ退場日時を有していない利用情報レコード９４を検索する。このような利用情報レコード９４が検索された場合、利用情報管理部４０４は、退場制限の解除が要求されていると判定する。
【００９６】
商品の購入に応じて利用料金が割引されてもよい。例えば、ユーザが会計時に端末装置５００の電話番号（発信者番号）を販売員に伝えると、その電話番号が割引き対象者の電話番号としてサービス提供装置４００ｂの利用情報テーブルに登録されてもよい。この場合、利用料金判定部４０５は、割引き対象者の利用料金を判定する際に、割引き処理を行う。
【００９７】
［第三実施形態］
図２０は、第三適用例として説明した入退制御システムの変形例のシステム構成図である。本実施形態の入退制御システムは、認証システム１００を備えない。本実施形態の入退制御システムでは、サービス電話番号として、００ＸＹ特番の電話番号ではなく、０ＡＢ〜Ｊや０ＡＢ０特番の電話番号が用いられる。そのため、発信者番号に基づく認証処理は行われない。
【００９８】
図２１は、第三実施形態における入場処理の流れを示すシーケンスチャートである。入場処理は、ユーザが所定の領域に入る際に行われる処理である。
入場処理が行われるまでは、入退制御装置８００は、入場を制限する状態に制御される。この制御は、例えばサービス提供装置４００ｂによって行われる。
【００９９】
入場を希望するユーザは、入場を制限している入退制御装置８００に割り当てられている電話番号を取得する。ユーザは、取得した電話番号を端末装置５００に入力する（ステップＳ７０１）。端末装置５００は、入力された発信番号に対して発信する（ステップＳ７０２）。発信された呼は、電話網を経由して、電話番号が割り当てられているサービス提供装置４００ｂに到達する。
【０１００】
サービス提供装置４００ｂは、呼を受けると着信応答する（ステップＳ７０３）。サービス提供装置４００ｂは、呼の接続に応じて発信者番号を取得する（ステップＳ７０４）。その後、サービス提供装置４００ｂは呼を切断する（ステップＳ７０５）。次に、サービス提供装置４００ｂは、着信先の電話番号に基づいて、制御が求められている入退制御装置８００が入場を制限しているのか退場を制限しているのか判定する。サービス提供装置４００ｂは、判定結果に応じて利用情報を更新する（ステップＳ７０６）。そして、サービス提供装置４００ｂは、判定された入退制御装置８００に対し、入場の制限を解除することを表す指示（入場制限解除指示）を送信する（ステップＳ７０７）。
入退制御装置８００は、サービス提供装置４００ｂから入退制限解除指示を受信すると、ユーザの入場の制限を解除する（ステップＳ７０８）。
【０１０１】
図２２は、第三実施形態における退場処理の流れを示すシーケンスチャートである。退場処理は、ユーザが所定の領域から出る際に行われる処理である。
退場処理が行われるまでは、入退制御装置８００は、退場を制限する状態に制御される。この制御は、例えばサービス提供装置４００ｂによって行われる。
【０１０２】
退場を希望するユーザは、退場を制限している入退制御装置８００に割り当てられている電話番号を取得する。ユーザは、取得した電話番号を端末装置５００に入力する（ステップＳ８０１）。端末装置５００は、入力された発信番号に対して発信する（ステップＳ８０２）。発信された呼は、電話網を経由して、電話番号が割り当てられているサービス提供装置４００ｂに到達する。
【０１０３】
サービス提供装置４００ｂは、呼を受けると着信応答する（ステップＳ８０３）。サービス提供装置４００ｂは、この接続に応じて発信者番号を取得する（ステップＳ８０４）。その後、サービス提供装置４００ｂは呼を切断する（ステップＳ８０５）。次に、サービス提供装置４００ｂは、着信先の電話番号に基づいて、制御が求められている入退制御装置８００が入場を制限しているのか退場を制限しているのか判定する。サービス提供装置４００ｂは、判定結果に応じて利用情報を更新する。
【０１０４】
制御が求められている入退制御装置８００が退場を制御しているという判定結果に応じて、制御部４０２は、利用料金判定部４０５に対し利用料金の判定を指示する。利用料金判定部４０５は、この指示に応じて利用料金を判定する（ステップＳ８０６）。利用料金判定部４０５は、判定された利用料金を制御部４０２に通知する。制御部４０２は、入退制御装置８００に対し、利用料金を表示することを指示する（ステップＳ８０７）。この指示に応じて、入退制御装置８００は利用料金を表示することによってユーザに利用料金を通知する（ステップＳ８０８）。
【０１０５】
ユーザは、入退制御装置８００に表示された利用料金を確認し、利用料金に応じた金銭を入退制御装置８００に投入する。入退制御装置８００は、ユーザによる支払いが完了すると、支払いが完了したことをサービス提供装置４００ｂに通知する（ステップＳ８０９）。
【０１０６】
サービス提供装置４００ｂは、支払い完了の通知を受けると、退場の制限を解除することを入退制御装置８００に指示する（ステップＳ８１０）。そして、サービス提供装置４００ｂは、利用情報を更新する（ステップＳ８１１）。入退制御装置８００は、退場の制限を解除する指示を受けると、指示に応じて退場の制限を解除する（ステップＳ８１２）。
このように構成された第三実施形態においても、第三適用例と同様の効果を得ることが可能となる。
＜変形例＞
第三適用例においては、サービス電話番号に代えて、他の識別子が用いられてもよい。たとえば、サービス提供装置４００ｂに割り当てられたサービス電話番号に代えて、サービス提供装置４００ｂに割り当てられたメールアドレスや、サービス提供装置４００ｂに割り当てられたアカウントＩＤ（例えば、ＳＮＳ（Social Networking Service）のＩＤ、所定のサービスへのログインＩＤなど）が用いられてもよい。ただし、上述のようにメールアドレスやＩＤが用いられてもよいが、電話番号が用いられることが効果的である。
【０１０７】
上述した実施形態における認証システムの機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も含まれる。
【符号の説明】
【０１０８】
１００…認証システム，  ２００…第一通信装置，  ３００…第二通信装置，  ４００…サービス提供装置，  ５００…端末装置，  ６００…充電器，  ７００…住宅，  ７０１…宅内装置，  ７０２〜７０４…家電機器，  ８００…入退制御装置
【図１】
2015213265.tif 000003
【図２】
2015213265.tif 000004
【図３】
2015213265.tif 000005
【図４】
2015213265.tif 000006
【図５】
2015213265.tif 000007
【図６】
2015213265.tif 000008
【図７】
2015213265.tif 000009
【図８】
2015213265.tif 000010
【図９】
2015213265.tif 000011
【図１０】
2015213265.tif 000012
【図１１】
2015213265.tif 000013
【図１２】
2015213265.tif 000014
【図１３】
2015213265.tif 000015
【図１４】
2015213265.tif 000016
【図１５】
2015213265.tif 000017
【図１６】
2015213265.tif 000018
【図１７】
2015213265.tif 000019
【図１８】
2015213265.tif 000020
【図１９】
2015213265.tif 000021
【図２０】
2015213265.tif 000022
【図２１】
2015213265.tif 000023
【図２２】
2015213265.tif 000024